(57)【要約】【課題】  フロントライト側とバックライト側のいずれの側から見た場合にも見栄えのよい画像を表示させることのできる両面表示装置を提供する。【解決手段】  両面表示装置２１は、リバーシブルライト２２と半透過型液晶パネル２３を重ねて構成されている。半透過型液晶パネル２３は、反射電極３３を分散させて設けることにより、表示画面全体に反射領域３４と透過領域３５を設けてある。導光板２４の光出射面２６に垂直な方向における光出射面２６から出射される光の輝度が、光出射面２６から出射される光のピーク輝度の１５％以上で、かつ、４５％以下となるように、導光板２４が設計されている。【選択図】      図６
2006259115.tif 000002
【特許請求の範囲】
【請求項１】
半透過型液晶パネルと面光源装置とを備えた両面表示装置であって、
前記半透過型液晶パネルは、液晶層に入射した光を反射させる反射機能と液晶層に入射した光を透過させる透過機能とが、いずれも表示面全体に形成されており、
前記面光源装置は、光源と、前記光源の光を面状に広げて前記半透過型液晶パネル側を向いた光出射面から出射させる導光板とを有し、
前記導光板の光出射面に垂直な方向における前記光出射面から出射される光の輝度が、前記光出射面から出射される光のピーク輝度の１５％以上で、かつ、４５％以下であることを特徴とする両面表示装置。
【請求項２】
半透過型液晶パネルと面光源装置とを備えた両面表示装置であって、
前記半透過型液晶パネルは、液晶層に入射した光を反射させる反射機能と液晶層に入射した光を透過又は半透過させる機能とが、区分的に形成されており、
前記面光源装置は、光源と、前記光源の光を面状に広げて前記半透過型液晶パネル側を向いた光出射面から出射させる導光板とを有し、
前記導光板の光出射面に垂直な方向における前記光出射面から出射される光の輝度が、前記光出射面から出射される光のピーク輝度の１５％以上で、かつ、６０％以下であることを特徴とする両面表示装置。
【請求項３】
前記導光板の光出射面から出射される光のピーク輝度の方向が、前記光出射面に垂直な法線に対して前記光源と反対側に傾いていることを特徴とする、請求項１又は２に記載の両面表示装置。
【請求項４】
前記導光板の光出射面から出射される光のピーク輝度の方向が、前記光出射面に垂直な法線に対して前記光源側に傾いていることを特徴とする、請求項１又は２に記載の両面表示装置。
【請求項５】
前記半透過型液晶パネルの、前記導光板と対向する面と反対面に拡散層を備え、前記拡散層の拡散角は、前記導光板の光出射面から出射される光の視野角特性の半値半角とほぼ等しくなっていることを特徴とする、請求項１又は２に記載の両面表示装置。
【請求項６】
前記半透過型液晶パネルは、前記反射機能を形成するための反射電極を備え、前記反射電極は拡散特性を有すると共に、前記反射電極の拡散角は、前記導光板の光出射面から出射される光の視野角特性の半値半角とほぼ等しくなっていることを特徴とする、請求項１又は２に記載の両面表示装置。
【請求項７】
前記導光板は、前記光出射面に反射防止膜又は反射防止構造を備えていることを特徴とする、請求項１又は２に記載の両面表示装置。
【請求項８】
前記半透過型液晶パネルは、前記導光板と対向する面に反射防止膜又は反射防止構造を備えていることを特徴とする、請求項１又は２に記載の両面表示装置。
【請求項９】
前記導光板の光出射面と対向する面に、前記光源側に位置する面が光出射面に対して傾斜した複数の凹部が形成され、前記光出射面から出射される光のピーク輝度の方向が光出射面に垂直な方向に対してなす角度をθ、前記導光板の屈折率をｎで表わしたとき、前記傾斜面の傾斜角αが、
45°-〔arcsin(sinθ/ｎ)〕/2≦α≦45°+〔arcsin(sinθ/ｎ)〕/2
であることを特徴とする、請求項１又は２に記載の両面表示装置。
【請求項１０】
前記凹部は、その長手方向に垂直な断面が略直角三角形状をしていることを特徴とする、請求項９に記載の両面表示装置。
【請求項１１】
前記凹部の光源側に隣接して前記光出射面に凸部が形成されていることを特徴とする、請求項１０に記載の両面表示装置。
【請求項１２】
前記凹部の光源から遠い側に隣接して前記光出射面に凸部が形成されていることを特徴とする、請求項１０に記載の両面表示装置。
【請求項１３】
光源と、前記光源の光を面状に広げて光出射面から出射させる導光板とを備えた面光源装置であって、
前記光出射面に垂直な方向における前記光出射面から出射される光の輝度が、前記光出射面から出射される光のピーク輝度の１５％以上で、かつ、６０％以下であることを特徴とする面光源装置。
【請求項１４】
請求項１又は２に記載した両面表示装置を表示部として備えた携帯情報端末。
【発明の詳細な説明】
【技術分野】
【０００１】
本発明は、両面表示装置及び面光源装置に関する。
【背景技術】
【０００２】
図１は従来の両面表示装置の一例（例えば、特許文献１）を示す概略断面図である。この両面表示装置１１は、リバーシブルライト（均一に発光する機能と、透明性を持つ面光源装置であり、バックライトとフロントライトの機能を併せ持った面光源装置）１２と半透過型液晶パネル１３とから構成されており、リバーシブルライト１２は半透過型液晶パネル１３に対向させて配置されている。リバーシブルライト１２は、導光板１４の端面（光入射面）に対向させて冷陰極管等の光源１５を配設したものであり、導光板１４の光出射面１６と反対側の面には微細な凹凸１７が形成されている。なお、本明細書においては、リバーシブルライト１２に関して半透過型液晶パネル１３と反対側をフロントライト側と呼び、半透過型液晶パネル１３に関してリバーシブルライト１２と反対側をバックライト側と呼ぶことにする。また、光線は矢印で示し、特に断わりのない限りノイズ光は破線矢印で示すものとする。
【０００３】
この両面表示装置１１において、図１に示すように、光源１５から出射された光は、導光板１４の端面から導光板１４内部に入射し、導光板１４の光出射面１６とその反対面で全反射を繰り返すことによって導光板１４内を伝搬して導光板１４内の全体に広がる。このとき、凹凸１７により散乱させられた光のうち、光出射面１６に小さな入射角で入射した光は、光出射面１６を透過してリバーシブルライト１２から外部へ出射される。
【０００４】
そして、リバーシブルライト１２から出射された光の一部は、半透過型液晶パネル１３の透過領域を透過してバックライト側へ出射される。また、リバーシブルライト１２から出射された光の一部は、半透過型液晶パネル１３の反射領域で反射されてフロントライト側へ出射される。よって、バックライト側から見た場合には、リバーシブルライト１２はバックライトとして機能し、半透過型液晶パネル１３で生成された画像を視認することができる。また、フロントライト側から見た場合には、リバーシブルライト１２はフロントライトとして機能し、半透過型液晶パネル１３で生成された画像を視認することができる。
【０００５】
上記のような両面表示装置によれば、リバーシブルライト１２も半透過型液晶パネル１３もそれぞれ１枚ずつあれば良いので、部品点数が少なくて済む。その結果、両面表示装置１１が安価になり、薄型化と軽量化が可能になるというメリットがある。しかしながら、このような両面表示装置１１では、ノイズ光のためにフロントライト側から見た場合のコントラストが低いという問題があった。
【０００６】
図２はフロントライト側でコントラストが低い理由を説明する図である。光源１５から導光板１４内に入射した光の光量を”１００”とすると、凹凸１７で反射されて光出射面１６に向かう光のうち、”０.５”の光量は光出射面１６で反射されてフロントライト側へ出射され、またリバーシブルライト１２の光出射面１６から出射された”９９.５”の光量のうちさらに”０.５”の光量は半透過型液晶パネル１３の表面で反射されてフロントライト側へ出射される。従って、半透過型液晶パネル１３内には”９９”の光量の光しか入射しないが、このうち半透過型液晶パネル１３の内部で反射されて信号光（画像）としてフロントライト側へ出射される光量は”６.４”に過ぎない。同様に、半透過型液晶パネル１３を透過して信号光（画像）としてバックライト側へ出射される光量も”６.４”に過ぎない。従って、フロントライト側では、画像となる信号光が”６.４”に対してノイズ光が”０.５”＋”０.５”＝”１.０”となり、画像のコントラストは６.４：１（以下、ノイズ光に対する信号光の光量比をコントラスト比と呼ぶ。）となる。よって、ノイズ光の割合が大きいために画像のコントラストが低く、フロントライト側における画質が優れなかった。
【０００７】
図３はフロントライト側においてコントラストを向上させる方法を説明する図である。この両面表示装置１１では、光出射面１６に垂直な方向から傾けてリバーシブルライト１２から光を出射させ、この光を半透過型液晶パネル１３の反射領域で反射させることにより光出射面１６に垂直な方向へ反射させている。従って、フロントライト側では、信号光は両面表示装置１１に垂直な方向へ出射されるのに対し、光出射面１６や半透過型液晶パネル１３の表面で正反射されたノイズ光は斜め方向へ出射されることになる。よって、フロントライト側で正面から両面表示装置１１を見たときには破線矢印で示すノイズ光が目に入らず、コントラストの低下が抑制される。
【０００８】
しかしながら、このような構造の両面表示装置１１では、リバーシブルライト１２の光出射面１６から出射される光の出射ピーク角度θ（光出射面１６から出射される光の輝度が最大となるピーク輝度方向が、光出射面１６に垂直な法線となす角度）が小さいと、図２で説明した理由によりフロントライト側におけるコントラストが悪くなり（図２参照）、また図４に示すように出射ピーク角度θが大き過ぎる場合には、バックライト側における正面輝度が低下して正面から見えにくくなる。なお、特許文献２には、フロントライトと反射型液晶表示パネルからなる液晶表示装置の場合について記載があり、これによれば出射ピーク角度が５°以下ではコントラストが悪くなり、出射ピーク角度が１５°以上では正面輝度が悪くなると報告されている。
【０００９】
よって、上記両面表示装置については、フロントライト側とバックライト側とのいずれの側から見た場合にも見栄えのよい画像が得られるようにすることが望まれており、特に、フロントライト側におけるコントラストとバックライト側における輝度を改善することが必要とされている。
【００１０】
【特許文献１】特開２００２−３５７８２５号公報
【特許文献２】特開２００１−３３０８２８号公報
【発明の開示】
【発明が解決しようとする課題】
【００１１】
本発明は上記のような技術的課題に鑑みてなされたものであり、その目的とするところは、フロントライト側とバックライト側のいずれの側から見た場合にも見栄えのよい画像を表示させることのできる両面表示装置と面光源装置を提供することにある。
【課題を解決するための手段】
【００１２】
本発明にかかる第１の両面表示装置は、半透過型液晶パネルと面光源装置とを備えた両面表示装置であって、前記半透過型液晶パネルは、液晶層に入射した光を反射させる反射機能と液晶層に入射した光を透過させる透過機能とが、いずれも表示面全体に形成されており、前記面光源装置は、光源と、前記光源の光を面状に広げて前記半透過型液晶パネル側を向いた光出射面から出射させる導光板とを有し、前記導光板の光出射面に垂直な方向における前記光出射面から出射される光の輝度が、前記光出射面から出射される光のピーク輝度の１５％以上で、かつ、４５％以下であることを特徴としている。
【００１３】
本発明の第１の両面表示装置によれば、面光源装置側におけるコントラストが高く、半透過型液晶パネル側における正面輝度も良好な両面表示装置を製作することができる。
【００１４】
本発明にかかる第２の両面表示装置は、半透過型液晶パネルと面光源装置とを備えた両面表示装置であって、前記半透過型液晶パネルは、液晶層に入射した光を反射させる反射機能と液晶層に入射した光を透過又は半透過させる機能とが、区分的に形成されており、前記面光源装置は、光源と、前記光源の光を面状に広げて前記半透過型液晶パネル側を向いた光出射面から出射させる導光板とを有し、前記導光板の光出射面に垂直な方向における前記光出射面から出射される光の輝度が、前記光出射面から出射される光のピーク輝度の１５％以上で、かつ、６０％以下であることを特徴としている。
【００１５】
本発明の第２の両面表示装置によれば、面光源装置側におけるコントラストが高く、半透過型液晶パネル側における正面輝度も良好な両面表示装置を製作することができる。
【００１６】
本発明の第１又は第２の両面表示装置のある実施態様においては、前記導光板の光出射面から出射される光のピーク輝度の方向が、前記光出射面に垂直な法線に対して前記光源と反対側に傾いていることを特徴としている。かかる実施態様によれば、面光源装置側と半透過型液晶パネル側との双方で自然な見栄えの画像を表示させることができ、また大きな輝度を得ることができる。
【００１７】
本発明の第１又は第２の両面表示装置の別な実施態様においては、前記導光板の光出射面から出射される光のピーク輝度の方向が、前記光出射面に垂直な法線に対して前記光源側に傾いていることを特徴としている。かかる実施態様によれば、面光源装置側と半透過型液晶パネル側との双方で自然な見栄えの画像を表示させることができ、また輝線を低減することができる。
【００１８】
本発明の第１又は第２の両面表示装置のさらに別な実施態様においては、前記半透過型液晶パネルの、前記導光板と対向する面と反対面に拡散層を備え、前記拡散層の拡散角は、前記導光板の光出射面から出射される光の視野角特性の半値半角とほぼ等しくなっていることを特徴としている。かかる実施態様によれば、半透過型液晶パネル側におけるバックライト側の画像の見栄えを良好にすることができる。
【００１９】
本発明の第１又は第２の両面表示装置のさらに別な実施態様においては、前記半透過型液晶パネルが、前記反射機能を形成するための反射電極を備え、前記反射電極は拡散特性を有すると共に、前記反射電極の拡散角は、前記導光板の光出射面から出射される光の視野角特性の半値半角とほぼ等しくなっていることを特徴としている。かかる実施態様によれば、面光源装置側におけるフロントライト側の画像の見栄えを良好にすることができる。
【００２０】
本発明の第１又は第２の両面表示装置のさらに別な実施態様においては、前記導光板が、前記光出射面に反射防止膜又は反射防止構造を備えていることを特徴としている。ここで、反射防止膜としては誘電体多層膜を使用することができ、反射防止構造としては可視光の波長よりも十分に細かなパターンを使用することができる。このような実施態様によれば、面光源装置側におけるフロントライト側の画像の見栄えを良好にすることができる。
【００２１】
本発明の第１又は第２の両面表示装置のさらに別な実施態様においては、前記半透過型液晶パネルが、前記導光板と対向する面に反射防止膜又は反射防止構造を備えていることを特徴としている。かかる実施態様によれば、面光源装置側におけるフロントライト側の画像の見栄えを良好にすることができる。
【００２２】
本発明の第１又は第２の両面表示装置のさらに別な実施態様においては、前記導光板の光出射面と対向する面に、前記光源側に位置する面が光出射面に対して傾斜した複数の凹部が形成され、前記光出射面から出射される光のピーク輝度の方向が光出射面に垂直な方向に対してなす角度をθ、前記導光板の屈折率をｎで表わしたとき、前記傾斜面の傾斜角αが、
45°-〔arcsin(sinθ/ｎ)〕/2≦α≦45°+〔arcsin(sinθ/ｎ)〕/2
であることを特徴としている。かかる条件を考慮すれば、導光板内の光を拡散又は偏向させて光出射面から出射させるための凹部の設計を容易に行なうことができる。
【００２３】
上記実施態様においては、凹部はその長手方向に垂直な断面が略直角三角形状をしていることが望ましい。ここで断面が略直角三角形の凹部とは、凹部の表面と光出射面を延長した面とで囲まれる空間の断面形状が略直角三角形状であるという意味であり、かかる実施態様によれば凹部の製作を容易にすることができる。さらに、前記凹部の光源側に隣接して前記光出射面に凸部を形成してもよく、あるいは、前記凹部の光源から遠い側に隣接して前記光出射面に凸部を形成してもよい。前者の実施態様によれば、半透過型液晶パネル側における輝線（面光源装置のある方向だけが明るくなる、線状の輝度ムラ）を低減することができ、後者の実施態様によれば、面光源装置側における輝線を低減することができる。
【００２４】
本発明の面光源装置は、光源と、前記光源の光を面状に広げて光出射面から出射させる導光板とを備えた面光源装置であって、前記光出射面に垂直な方向における前記光出射面から出射される光の輝度が、前記光出射面から出射される光のピーク輝度の１５％以上で、かつ、６０％以下であることを特徴としている。この面光源装置は、液晶層に入射した光を反射させる反射機能と液晶層に入射した光を透過又は半透過させる機能とが区分的に形成された半透過型液晶パネルに用いることにより、面光源装置側におけるコントラストが高く、半透過型液晶パネル側における正面輝度も良好な両面表示装置を製作することができる。
【００２５】
本発明の携帯情報端末は、本発明にかかる両面表示装置を表示部として備えたものである。本発明の携帯情報端末は、本発明の両面表示装置を表示部として用いているので、表示部を表裏から見ることができ、しかもいずれの面においても見栄えの良好な画像を表示させることができる。
【００２６】
なお、本発明の以上説明した構成要素は、可能な限り任意に組み合わせることができる。
【発明を実施するための最良の形態】
【００２７】
以下、本発明の実施例を図面に従って詳細に説明する。ただし、以下に説明する実施例は一部の例を示すものであって、本発明は以下に説明する実施例に限定されるものではない。
【実施例１】
【００２８】
図５は本発明の実施例１による両面表示装置の分解斜視図、図６はその概略断面図である。この両面表示装置２１は、リバーシブルライト２２（面光源装置）と半透過型液晶パネル２３とからなる。リバーシブルライト２２は、導光板２４と光源２５によって構成されており、光源２５は導光板２４の一方端面（光入射面２８）に対向させて配置されている。光源２５はいわゆる線状光源であって、冷陰極管、複数個のＬＥＤを線状に並べたもの、１個のＬＥＤから出射される光を線状に広げて線状光源化したものなどが用いられる。図示例では、光源２５は導光板２４の幅とほぼ等しい長さを有している。
【００２９】
導光板２４は、ポリカーボネイトやポリメチルメタクリレート、ガラス等の透明で屈折率の高い材料によって形成されている。導光板２４の一方主面は光を出射させるための平坦な光出射面２６となっている。導光板２４の光出射面２６と対向する面（パターン面）には微細な偏向パターン２７が多数形成されている。偏向パターン２７は、当該実施例では光源２５の長さ方向と平行に延びたストライプ状をしており、光源２５の長さ方向と直交する方向に沿って配列されている。偏向パターン２７は、光源側に位置する傾斜面２７ａとほぼ垂直面となった再入射面２７ｂとからなり、その長さ方向と直交する断面が略直角三角形状をした凹部によって形成されている。なお、光出射面２６に垂直な方向をｚ軸方向とし、光源２５の長さ方向と平行な方向をｘ軸方向とし、ｚ軸方向及びｘ軸方向と直交する方向をｙ軸方向とする。
【００３０】
しかして、光源２５から出射された光は、図６に示すように、光入射面２８から導光板２４内に入射し、光出射面２６とパターン面との間で全反射を繰り返しながら導光板２４全体に広がっていく。導光板２４内を伝播する光は、傾斜面２７ａで反射される度に、光出射面２６に対する入射角が小さくなっていき、全反射の臨界角よりも小さな入射角で光出射面２６に入射した光は光出射面２６から半透過型液晶パネル２３に向けて出射される。なお、この実施例では、光出射面２６から出射される光は、ｚｙ平面内で光出射面２６から出射されるので、光出射面２６から出射される光の輝度が最大となる方向（以下、ピーク輝度方向という。）が光出射面２６に垂直な法線Ｎに対してなす角度を出射ピーク角度θとする。出射ピーク角度θは、傾斜面２７ａの傾斜角などによって調整することができる。
【００３１】
半透過型液晶パネル２３は、ガラス基板２９、３０間に液晶層３１を挟みこんで封止したものである。リバーシブルライト２２に近い側のガラス基板２９の内面には透明電極やカラーフィルタ３２等が形成されている。また、リバーシブルライト２２から遠い側のガラス基板３０の内面にはＴＦＴや画素電極、ブラックマトリクス等が形成されており、半透過型液晶パネル２３には多数の画素が形成されている。ガラス基板３０の内面には、一定ピッチ毎に金属薄膜などの反射電極３３が設けられており、各画素は片側半分が反射電極３３で覆われた反射領域３４となっており、他方半分が反射電極３３のない透過領域３５となっている。
【００３２】
従って、図６に示すように、リバーシブルライト２２の光出射面２６から出射された光が半透過型液晶パネル２３内に入射すると、反射領域３４に入射した光は反射電極３３で反射されて元の方向へ戻り、導光板２４を透過してフロントライト側で観察される。これに対し、透過領域３５に入射した光はガラス基板３０を透過してバックライト側で観察される。よって、この両面表示装置２１で半透過型液晶パネル２３の各画素がオンオフ制御されて画像が生成されていると、フロントライト側においては表示面全体で画像を観察することができ、同時に、バックライト側においても表示面全体で画像を観察することができる。
【００３３】
いま、上記のように表示面（画素領域）全体で両面表示を行なうことのできる両面表示装置２１について、両面で見栄えのよい画像を観察できるようにするための条件を考える。図７は一般的な半透過型液晶パネル２３（図７ではＬＣＤと記載している。）を想定し、導光板２４の特性を変化させたときのフロントライト側（図ではＦＬ側と表わしている。）とバックライト側（図ではＢＬ側と表わしている。）における画像品質をシミュレーションにより評価した結果を示している。半透過型液晶パネル２３は、一般的なＴＦＴ型の半透過型液晶パネルを想定し、透過率が６.５％、反射率が６.５％であるとした（因みに、反射型液晶パネルの場合には、一般に反射率１０〜１３％である。）。また、リバーシブルライト２２の光出射面２６から出射される光のピーク輝度（ピーク輝度方向における輝度）はいずれも３０００ｃｄ／ｍ２とし、サンプル１〜１０においては図７に示すように出射ピーク角度θを６°から１５°まで変化させた。このとき、サンプル１〜１０においては、ピーク輝度に対する光出射面２６に垂直な法線方向の輝度の比（以下、これを法線方向輝度比という。図７では、Ｎ／Ｐ輝度比と記載している。）は、５５％から１４％までの値となる。
【００３４】
このような条件でサンプル１〜１０の両面表示装置において、バックライト側へ透過する光のピーク輝度（以下においては、これをバックライト側ピーク輝度と呼ぶことがある。）と、光出射面２６に垂直な法線方向の輝度（以下においては、これをバックライト側正面輝度と呼ぶことがある。）を評価した結果は、図７に示す通りである。また、フロントライト側における法線方向でのノイズ光の輝度（ノイズ輝度）、法線方向での信号光の輝度（信号輝度）と共に、それぞれのコントラスト比を評価した結果は、図７に示す通りである。なお、フロントライト側の輝度は、反射光の拡散効果（１０°）を考慮している。
【００３５】
また、図８は、図７の数値に基づいて、光出射面から出射される光の出射ピーク角度θの変化に対するバックライト側正面輝度とフロントライト側でのコントラスト比の変化を表わした図である。
【００３６】
良好な見栄えを得ることのできる最適な両面表示装置の条件は、
導光板：  ピーク輝度      ３０００ｃｄ／ｍ２
出射ピーク角度  １０°
視野角          ±１４°
半透過型液晶パネル：
透過率          ６.５％
反射率          ６.５％
バックライト側：
バックライト側ピーク輝度  １９５ｃｄ／ｍ２
バックライト側正面輝度    ６０ｃｄ／ｍ２
フロントライト側：
コントラスト比  １４
と考えられる。従って、図７に示したサンプルのうちではサンプル５が最も好ましく、サンプル５を含むある範囲のサンプルが、見栄えの良好な両面表示装置として最適なものである。しかし、実験的には、フロントライト側ではコントラスト比が１０よりも小さくなると画像の見栄えが悪くなり、また、バックライト側ではバックライト側正面輝度がバックライト側ピーク輝度の１５％を下ると暗くなって画像の見栄えが悪くなる。よって、図７に示したサンプルのうちでは、サンプル３〜サンプル９が最適なサンプルとなる。この最適な範囲は図８に示す範囲となり、出射ピーク角度θで表わせば、８°以上１４°以下となる。また、バックライト側における法線方向輝度比で表わせば、１５％以上４５％以下となる。
【００３７】
以上のシミュレーション結果から分かるように、バックライト側における法線方向の輝度／ピーク輝度（法線方向輝度比）を１５％以上４５％以下となるようにすることにより、両面表示装置の両面で画像の見栄えを良好にすることができる。特に、フロントライト側におけるコントラスト比とバックライト側における正面輝度を良好にすることができる。
【００３８】
図９は半透過型液晶パネル２３を透過してバックライト側へ出射される光の指向特性（視野角特性）を表わしている。すなわち、図９の横軸は、半透過型液晶パネル２３を透過してバックライト側へ出射される光の、光出射面２６に垂直な法線Ｎから図った出射角度（光源から遠い側で正、光源に近い側で負の値をとる。）を表わし、縦軸は各出射方向における出射光の輝度を表わしており、出射光のピーク輝度を”１００”としている。なお、半透過型液晶パネル２３は光学的には平行平板であるから、図９の横軸は光出射面２６から出射される光の出射角度を表わしていると考えることもできる。従って、図９のピーク輝度に対応する出射角度が出射ピーク角度θであり、出射角度が０°のときの出射輝度がバックライト側正面輝度であり、ピーク輝度を”１００”としているから、出射角度が０°のときの出射輝度の値が法線方向輝度比を表わす。よって、かかる指向特性図における出射角度が０°のときの出射輝度（バックライト側正面輝度）が図の最適範囲内にあれば、両面で見栄えの良好な両面表示装置２１が得られる。よって、半透過型液晶パネル２３からバックライト側へ出射される光の指向特性を実験により、あるいはシミュレーションにより求めておけば、図９のような指向特性図を用いて容易に両面表示装置２１を最適設計することができる。
【００３９】
また、光出射面２６から出射される光が、ピーク強度を一定に保ったままで出射ピーク角度θを変化させると、図９の指向特性を表わす曲線は横軸と平行に移動し、それに伴って出射角度が０°のときのバックライト側正面輝度が変化する。従って、図９の曲線を水平方向に平行移動させ、出射角度０°で出射輝度１５である点を当該曲線が通過するときの出射ピーク角度θの値と、出射角度０°で出射輝度４５である点を当該曲線が通過するときの出射ピーク角度θの値とを求めれば、出射ピーク角度θの最適な範囲を知ることができる。図９に示す指向特性の場合には、出射ピーク角度θの最適範囲は８°以上１４°以下となる。
【００４０】
こうして出射ピーク角度θが決まれば、図１０に示す偏向パターン２７の傾斜面２７ａの傾斜角αは、次式を満たすように決めればよい。
｜α−４５°｜ ≦ 〔arcsin(sinθ/ｎ)〕／２      …（数１）
又は
４５°−〔arcsin(sinθ/ｎ)〕/２≦α≦４５°＋〔arcsin(sinθ/ｎ)〕/２      …（数２）
但し、θは出射ピーク角度、ｎは導光板の屈折率である。
【００４１】
図１０に示すように、偏向パターン２７に対して導光板２４の表面と平行な方向から光が入射し、この光が傾斜面２７ａで全反射した後に光出射面２６から出射ピーク角度θの方向へ出射されるためには、傾斜面２７ａの傾斜角αは、
α＝４５°−〔arcsin(sinθ/ｎ)〕／２      …（数３）
であればよい。傾斜面２７ａに入射する光は、図１０に破線矢印で示すように、上方から傾斜面２７ａに入射すると考えてよいから、この光が出射ピーク角度θで出射されるためには、傾斜角αは（数３）の値よりも大きくなければならない。すなわち、
４５°−〔arcsin(sinθ/ｎ)〕／２≦α
となる。これが（数２）の左側の不等式である。
【００４２】
例えば、導光板２４の屈折率がｎ＝１.５、出射ピーク角度をθ＝１０°とすれば、傾斜面２７ａの傾斜角αの範囲は、上記（数２）より、
４１.７°≦α≦４８.３°
と決めることができる。
【００４３】
また、図１１に実線矢印で示すように、ピーク輝度方向が出射ピーク角度θとなるように設計したとしても、図１１に細い破線矢印で示すように、導光板２４のパターン面で全反射して傾斜面２７ａに上方から入射した光Ｌ１は、出射ピーク角度θよりも大きな角度で出射される。この光Ｌ１は、半透過型液晶パネル２３に入射することなく斜め方向へ出射されるので、バックライト側で輝線となる。また、図１１に太い破線矢印で示すように、下方から傾斜面２７ａに入射した光Ｌ２は、傾斜面２７ａを透過してフロントライト側へ出射されるので、フロントライト側でも輝線が発生する。
【００４４】
上記のようなバックライト側の輝線を抑制するためには、図１２に示すように、偏向パターン２７の光源側に隣接させて断面三角形状の凸部３６を設ければよい。光源側に凸部３６を設けていると、光Ｌ１は凸部３６で２回全反射することによって光出射面２６から出射される。光出射面２６から略垂直に出射された光Ｌ１は半透過型液晶パネル２３に入射するので、バックライト側の輝線を低減させ、輝度を向上させることができる。
【００４５】
また、フロントライト側の輝線を抑制するためには、図１３に示すように、偏向パターン２７の光源と反対側に隣接させて断面略直角三角形状の凸部３７を形成すればよい。光源と反対側に凸部３７を設けていると、傾斜面２７ａから漏れた光Ｌ２は、凸部３７に再入射してその斜面で全反射される。光出射面２６から略垂直に出射された光Ｌ２は半透過型液晶パネル２３に入射するので、凸部３７を設けることにより、フロントライト側での輝線を低減させ、輝度を向上させることができる。
【００４６】
本発明の両面表示装置２１にあっては、１枚のリバーシブルライト２２と１枚の半透過型液晶パネル２３からなるので、両面表示の可能な表示装置の部品点数を少なくできる。よって、両面表示装置２１を安価に提供できると共に、両面表示装置２１の薄型化と軽量化を図ることができる。しかも、フロントライト側におけるコントラストを良好にすると共に、バックライト側における正面輝度を向上させることができ、フロントライト側とバックライト側の両面で画像の見栄えを良好にすることができる。さらに、後述の実施例２で説明するような領域分割型の両面表示装置と比較すると、実施例１の両面表示装置２１ではフロント側においてもバックライト側においても全面表示することができるので、表示画面の面積が同じであれば両面表示装置２１を小型化することができる。
【００４７】
上記実施例では、光源２５として線状光源を用い、それに伴って断面略直角三角形状のストライプ状をした微細な偏向パターン２７をパターン面に形成していたが、両面表示装置の構造はこれに限るものではない。例えば、図１４に示す両面表示装置では、光源２５としてＬＥＤを用いたいわゆる点光源を使用している。点光源とは、導光板２４の幅に比べて長さの十分に短い光源である。図１４では点光源を１つ配置しているが、複数個用いてもよい。また、導光板２４の上面（パターン面）には、光源２５を中心として同心円状に微小な偏向パターン２７が設けられている。偏向パターン２７は長さ方向と直交する断面が略直角三角形状をした比較的短いものであり、光源２５に近い側の面が傾斜面となり、光源２５から遠い側の面が光出射面２６にほぼ垂直な再入射面となっている。各偏向パターン２７は、光出射面２６に垂直な方向から見たとき、その長さ方向が光源２５と結ぶ方向と概略直交するように配置されており、円周方向に沿って離散的に配列されている。
【００４８】
図１４のような構造の両面表示装置においても、導光板２４の光出射面２６に垂直な方向における光出射面２６から出射される光の輝度が、光出射面２６から出射される光のピーク輝度の１５％以上４５％以下となるようにすれば、すなわち法線方向輝度比が１５％以上４５％以下となるようにすれば、フロントライト側におけるコントラストとバックライト側の正面輝度が良好で、いずれの面における見栄えも良好な両面表示装置を製作することができる。
【００４９】
なお、上記導光板２４は、ポリカーボネイトやポリメチルメタクリレート等の透明な樹脂材料を用いて射出成形法やスタンパを用いた成形法により製作するのが望ましい。例えば、射出成形法の場合には、偏向パターン２７の反転形状パターンを形成された金型と鏡面または反射防止構造を有する金型とからなる一対の金型を用いる。一対の金型の間に溶融した樹脂材料を射出してキャビティ内に充填し、樹脂充填後に成形品を冷却して樹脂を硬化させた後、金型を型開きして成形品を金型から排出させる。このようにして射出成形すれば、導光板を安価に量産することができる。なお、この場合断面直角三角形状の偏向パターンの再入射面を光出射面から垂直な方向から少し傾けておけば、導光板と金型との離型性を良好にすることができる。
【実施例２】
【００５０】
図１５は本発明の実施例２による両面表示装置４１の構造を示す概略断面図である。この両面表示装置４１に用いられているリバーシブルライト２２は、実施例１で説明したものと同様な構造を有しているが、後述のように実施例１のリバーシブルライト２２とは光出射面２６から出射される光の指向特性が異なっている。なお、光源２５及び偏向パターン２７は、図５に示したような線状光源とストライプ状の偏向パターンでもよく、図１４に示したような点光源と同心円状配置された偏向パターンであってもよい。
【００５１】
半透過型液晶パネル４２は、反射領域３４と透過領域３５が区分的に設けられている点が実施例１と異なっている。すなわち、この半透過型液晶パネル４２では、半透過型液晶パネル４２の片側半分の全体に反射電極３３が形成されていて反射領域３４となっており、半透過型液晶パネル４２の他方半分全体には反射電極３３は設けられていなくて透過領域３５となっている。
【００５２】
リバーシブルライト２２の光出射面２６から光を出射させると、反射領域３４では半透過型液晶パネル４２内に入射した光が反射電極３３で反射され、導光板２４を透過してフロントライト側へ出射される。一方、透過領域３５では半透過型液晶パネル４２内に入射した光はガラス基板３０を透過してバックライト側へ出射される。従って、フロントライト側から両面表示装置４１を見ると、両面表示装置４１の片側半分（反射領域３４）でのみ画像を見ることができる。また、バックライト側から両面表示装置４１を見ると、両面表示装置４１の他方半分（透過領域３５）でのみ画像を見ることができる。よって、この両面表示装置４１では、フロントライト側とバックライト側とで表示領域が異なっている。
【００５３】
実施例１の場合と同様にして、両面表示装置４１について、両面で見栄えのよい画像を観察できるようにするための条件を考える。図１６はこのタイプの一般的な半透過型液晶パネル４２（図１６ではＬＣＤと記載している。）を想定し、導光板２４の特性を変化させたときのフロントライト側とバックライト側における画像品質をシミュレーションにより評価した結果を示している。半透過型液晶パネル４２は、一方で入射光を反射し他方で入射光を半透過する反射／半透過型のＳＴＮ型液晶パネルを想定し、透過率が６.５％、反射率が１３.０％であるとした。また、リバーシブルライト２２の光出射面２６から出射される光のピーク輝度はいずれも３０００ｃｄ／ｍ２とし、サンプル１１〜２３においては図１６に示すように出射ピーク角度θを３°から１５°まで変化させた。このとき、サンプル１１〜２３においては、法線方向輝度比は、８０％から１４％までの値となる。
【００５４】
このような条件でサンプル１１〜２３の両面表示装置４１において、バックライト側ピーク輝度とバックライト側正面輝度を評価した結果は、図１６に示す通りである。また、フロントライト側における法線方向でのノイズ輝度、法線方向での信号光の信号輝度、コントラスト比を評価した結果も、図１６に示す通りである。なお、フロントライト側のコントラスト比では、半透過型液晶パネル４２自体のコントラスト（２０：１）も考慮している。
【００５５】
また、図１７は、図１６の数値に基づいて、光出射面２６から出射される光の出射ピーク角度θの変化に対するバックライト側正面輝度とフロントライト側でのコントラスト比の変化を表わした図である。
【００５６】
良好な見栄えを得ることのできる最適な両面表示装置の条件は、
導光板：  ピーク輝度      ３０００ｃｄ／ｍ２
出射ピーク角度  ９°
視野角          ±１４°
半透過型液晶パネル：
透過率          ６.５％
反射率          １３.０％
バックライト側：
バックライト側ピーク輝度  １９５ｃｄ／ｍ２
バックライト側正面輝度    ６８ｃｄ／ｍ２
フロントライト側：
コントラスト比  １５.４
と考えられる。従って、図１６に示したサンプルのうちではサンプル１７が最も好ましく、サンプル１７を含むある範囲のサンプルが、見栄えの良好な両面表示装置として最適なものである。しかし、実験的には、フロントライト側ではコントラスト比が１０よりも小さくなると画像の見栄えが悪くなり、また、バックライト側ではバックライト側正面輝度がバックライト側ピーク輝度の１５％を下ると暗くなって画像の見栄えが悪くなる。よって、図１６に示したサンプルの内では、サンプル１３〜サンプル２２が最適なサンプルとなる。この最適な範囲は図１７に示す範囲となり、出射ピーク角度θで表わせば、５°以上１４°以下となる。また、バックライト側における法線方向輝度比で表わせば、１５％以上６０％以下となる。
【００５７】
以上のシミュレーション結果から分かるように、バックライト側における法線方向輝度比（Ｎ／Ｐ輝度比）を１５％以上６０％以下となるようにすることにより、両面表示装置４１の両面で画像の見栄えを良好にすることができる。特に、フロントライト側におけるコントラスト比とバックライト側における正面輝度を良好にすることができる。
【００５８】
なお、半透過型液晶パネル２３の光出射面２６から出射される光の指向特性図、あるいは半透過型液晶パネル４２を透過した光の指向特性図を用いて最適な設計を行なう方法は、実施例１において図９で説明した通りであるから、実施例２については説明を省略する。
【００５９】
上記実施例では、半透過型液晶パネル４２内に設けた反射電極３３によって領域分割型の半透過型液晶パネル４２を作製していたが、その他にも図１８、図１９に示すような構造を用いてもよい。
【００６０】
図１８Ａ、図１８Ｂ、図１８Ｃの変形例はいずれも透過型液晶パネル４３を用いた領域分割型の両面表示装置４１の異なる構造を示す概略断面図である。すなわち、図１８Ａ、図１８Ｂ及び図１８Ｃの両面表示装置４１では、透過型液晶パネル４３のバックライト側の内部の一部（反射領域３４）のみに反射シート４４を設けて半透過型液晶パネル４２を構成している。このような変形例によれば、半透過型液晶パネル４２の構造を簡単にすることができる。
【００６１】
さらに、図１８Ｂの変形例では、透過領域３５と対応する領域において、リバーシブルライト２２のバックライト側（もしくは半透過型液晶パネル側）の表面に拡散シート４５を設けている。また、図１８Ｃの変形例では、透過領域３５と対応する領域において、リバーシブルライト２２のバックライト側（もしくは半透過型液晶パネル側）の表面に２枚のプリズムシート４６、４７と拡散シート４５を重ねている。プリズムシート４６、４７は、断面三角形状のプリズムを互いに平行に配列させたものであり、プリズムシート４６とプリズムシート４７とでは、プリズム配列方向を互いに直交させるようにして重ねている。このプリズムシート４６、４７は両面表示装置４１からバックライト側（もしくは半透過型液晶パネル側）へ出射された光を両面表示装置４１に垂直な方向に揃える働きをしている。
【００６２】
図１９Ａに示す変形例では、半透過型液晶パネル４２における反射領域３４の内部に設けた反射電極３３に光を拡散させるよう拡散処理を施してある。また、図１９Ｂに示す変形例では、透過型液晶パネル４３のバックライト側に配設した反射シート４４に光を拡散させるよう拡散処理を施してある。さらに、図１９Ａ及び図１９Ｂの変形例では、リバーシブルライト２２のフロントライト側の表面のうち、透過領域３５と対向する領域には反射板４８を配置してあり、導光板２４のパターン面から漏れた光を反射板４８で反射させて導光板２４内に再入射させることにより光の損失を小さくしている。
【００６３】
なお、図示しないが、半透過型液晶パネル４２を反射領域と半透過領域とに領域分割し、反射領域では入射した光のほぼ全てを反射させるようにし、半透過領域では入射した光の一部（例えば約５０％）が透過し、残りの光（例えば約５０％）が反射するようにしてもよい。このような反射領域は、反射領域全体に反射電極を設けることにより得ることができる。また、半透過領域では、ハーフミラーを用いてもよく、あるいは、反射電極を隙間をあけて分散配置（実施例１の半透過型液晶パネルのような構造）するようにしてもよい。このような反射領域／半透過領域型の場合には、フロントライト側では反射領域と半透過領域を合わせた全体で画像を見ることができ、バックライト側では半透過領域のみで画像を見ることができるようになる。
【実施例３】
【００６４】
次に、実施例１又は実施例２の両面表示装置を基礎にして、その画像の見栄えをさらに向上させた両面表示装置を以下において説明する。ここでは実施例１の両面表示装置２１を例にとって説明するが、実施例２の両面表示装置４１であってもよい。この両面表示装置２１にあっては、図２０に示すように、半透過型液晶パネル２３の、バックライト側の面に拡散層５１が設けられている。例えば、半透過型液晶パネル２３の表面に偏光板を貼り付けるための粘着層に微少なビーズを混入させることにより拡散層５１を形成する。さらに、この拡散層５１は、その拡散角が、導光板２４の光出射面２６から出射される光の視野角特性の半値半角Ｋ／２（図９参照）と同程度になるようにしている。半透過型液晶パネル２３のバックライト側の面にこのような拡散層５１を設けることにより、バックライト側における画像の見栄えをより良好にすることができる。
【００６５】
また、半透過型液晶パネル２３の反射電極３３には、拡散効果を持たせている。例えば、半透過型液晶パネル２３の画素ピッチよりも十分に小さなサイズで反射電極３３の表面に微細な凹凸パターンを形成することにより、拡散効果を持たせている。さらに、反射電極３３の拡散角は、導光板２４の光出射面２６から出射される光の視野角特性の半値半角Ｋ／２と同程度になるようにしている。反射電極３３にかかる拡散効果を持たせることにより、フロントライト側における画像の見栄えをより良好にすることができる。
【実施例４】
【００６６】
図２１に示す実施例４では、実施例１の両面表示装置２１（実施例２の両面表示装置４１でもよい。）において、導光板２４の光出射面２６と、半透過型液晶パネル２３のバックライト側と反対側の表面とのうち、いずれか少なくとも一方の面に蒸着法やスパッタ法などにより反射防止膜（ＡＲコート）５２を成膜している。かかる実施例によれば、光出射面２６や半透過型液晶パネル２３の光出射面２６と対向する表面における正反射を抑制し、ノイズ光の発生を抑えることができるので、フロントライト側におけるコントラストを良好にして画質を向上させることができる。
【００６７】
図２２は実施例４の変形例を示す概略断面図である。この変形例では、導光板２４の光出射面２６と、半透過型液晶パネル２３のバックライト側と反対側の表面とのうち、いずれか少なくとも一方の面に反射防止構造５３を形成している。反射防止構造５３は、導光板２４の光出射面２６、あるいは半透過型液晶パネル２３の表面の偏光板に、金型による射出成形や熱転写法などにより、可視光の波長よりも小さなサイズの微少な凹凸パターンを形成したものである。かかる変形例によれば、光出射面２６や半透過型液晶パネル２３の光出射面２６と対向する表面において正反射を抑制し、ノイズ光の発生を抑えることができるので、フロントライト側におけるコントラストを良好にして画質を向上させることができる。
【実施例５】
【００６８】
図２３Ａは実施例５による両面表示装置６１の概略断面図である。これまで説明した実施例では、フロントライト側におけるコントラストとバックライト側における正面輝度を向上させることを目的としたが、用途や機器への組み込み状態によってはバックライト側のピーク輝度方向の向きも考慮する必要がある。図２３Ａの両面表示装置６１では、導光板２４の上部に光源２５が配置され、バックライト側へ透過した光のピーク輝度方向は、光源から遠い方向へ向いて傾いている。
【００６９】
このような両面表示装置６１は、光源２５が携帯電話６２の蝶番と反対側に位置するようにして、図２３Ｂ及び図２３Ｃに示すような折り畳み式の携帯電話６２に組み込まれる。但し、フロントライト側（リバーシブルライト側）が携帯電話６２の外側を向き、バックライト側（半透過型液晶パネル側）が携帯電話６２の内側を向くようにして組み込まれる。図２３Ｃのように携帯電話６２が折り畳まれている場合には、表示部を正面から見ることが多いので、こちらをフロントライト側としておけば、正面から見栄えやコントラストのよい画像を見ることができる。また、図２３Ｂのように携帯電話６２が開かれている場合には、図２４Ａ及び図２４Ｂに示すように画面を斜め下方から見ることになるので、バックライト側の輝度ピーク方向から画像をみることになり、バックライト側の画像をより明るくすることができて画像の見栄えが良くなる。
【００７０】
また、図２５Ａは実施例５の変形例による両面表示装置６１の概略断面図である。図２５Ａの両面表示装置６１では、バックライト側へ透過した光のピーク輝度方向は、光源側に向いて傾いている。
【００７１】
このような両面表示装置６１は、光源２５が携帯電話６２の蝶番側に位置するようにして、図２５Ｂ及び図２５Ｃに示すような折り畳み式の携帯電話６２に組み込まれている。但し、フロントライト側（リバーシブルライト側）が携帯電話６２の外面側を向き、バックライト側（半透過型液晶パネル側）が携帯電話６２の内面側を向くようにして組み込まれる。図２５Ｃのように携帯電話６２が折り畳まれている場合には、表示部を正面から見ることが多いので、こちらをフロントライト側としておけば、正面から見栄えやコントラストのよい画像を見ることができる。また、図２５Ｂのように携帯電話６２が開かれている場合には、図２６Ａ及び図２６Ｂに示すように画面を斜め下方から見ることになるので、バックライト側の輝度ピーク方向から画像をみることになり、バックライト側の画面がより明るくなって画像の見栄えが良くなる。
【実施例６】
【００７２】
次に、本発明の両面表示装置を表示部に備えた各種携帯情報端末を説明する。図２７Ａは閉じた状態の折り畳み式携帯電話６２を表わし、図２７Ｂは開いた状態の携帯電話６２を表わしている。この携帯電話６２は、例えば実施例１のような全面表示型の両面表示装置２１を表示部に組み込まれている。
【００７３】
図２８Ａは閉じた状態の折り畳み式携帯電話６２を表わし、図２８Ｂは開いた状態の携帯電話６２を表わしている。この携帯電話６２は、例えば実施例２のような領域分割型の両面表示装置４１を表示部に組み込まれている。
【００７４】
図２９Ａは閉じた状態の折り畳み式電子辞書６３を表わし、図２９Ｂは開いた状態の電子辞書６３を表わしている。この電子辞書６３は、例えば実施例１のような全面表示型の両面表示装置２１を表示部に組み込まれている。
【００７５】
図３０Ａは閉じた状態の折り畳み式電子辞書６３を表わし、図３０Ｂは開いた状態の電子辞書６３を表わしている。この電子辞書６３は、例えば実施例２のような領域分割型の両面表示装置４１を表示部に組み込まれている。
【００７６】
本発明の両面表示装置は、これら以外にも携帯用パソコン、電子手帳その他の携帯情報端末にも組み込むことができ、表面と裏面とのいずれでも画像の見栄えの良い表示部を提供することができる。
【図面の簡単な説明】
【００７７】
【図１】図１は従来例の両面表示装置の一例を示す概略断面図である。
【図２】図２はフロントライト側で従来例の両面表示装置のコントラストが低い理由を説明する図である。
【図３】図３はフロントライト側におけるコントラストを向上させる方法を説明する図である。
【図４】図４はバックライト側で従来例の両面表示装置の正面輝度が低下する理由を説明する図である。
【図５】図５は本発明の実施例１による両面表示装置の分解斜視図である。
【図６】図６は本発明の実施例１による両面表示装置の概略断面図である。
【図７】図７は、実施例１の両面表示装置において、導光板の特性を変化させたときのフロントライト側とバックライト側における画像品質をシミュレーションにより評価した結果を示す図である。
【図８】図８は、図７の数値に基づいて、光出射面から出射される光の出射ピーク角度θの変化に対するバックライト側正面輝度とフロントライト側でのコントラスト比の変化を表わした図である。
【図９】図９は、半透過型液晶パネルを透過してバックライト側へ出射される光の指向特性を表わした図である。
【図１０】図１０は、偏向パターンの傾斜面の傾斜角αと出射ピーク角度θとの関係を表わした図である。
【図１１】図１１は、両面表示装置に輝線が発生する様子を説明する図である。
【図１２】図１２は、光源側に断面三角形状の凸部を有する偏向パターンの断面図である。
【図１３】図１３は、光源と反対側に断面略直角三角形状の凸部を有する偏向パターンの断面図である。
【図１４】図１４は、実施例１の変形例を示す分解斜視図である。
【図１５】図１５は、本発明の実施例２による両面表示装置の構造を示す概略断面図である。
【図１６】図１６は、実施例２の両面表示装置において、導光板の特性を変化させたときのフロントライト側とバックライト側における画像品質をシミュレーションにより評価した結果を示す図である。
【図１７】図１７は、光出射面から出射される光の出射ピーク角度θの変化に対するバックライト側正面輝度とフロントライト側でのコントラスト比の変化を表わした図である。
【図１８】図１８Ａ、図１８Ｂ、図１８Ｃは、いずれも領域分割型の両面表示装置の変形例を示す概略断面図である。
【図１９】図１９Ａ、図１９Ｂは、いずれも領域分割型の両面表示装置の変形例を示す概略断面図である。
【図２０】図２０は、本発明の実施例３による両面表示装置の構造を示す概略断面図である。
【図２１】図２１は、本発明の実施例４による両面表示装置の構造を示す概略断面図である。
【図２２】図２２は、本発明の実施例４による両面表示装置の別な構造を示す概略断面図である。
【図２３】図２３Ａは本発明の実施例５による両面表示装置の概略断面図、図２３Ｂ及び図２３Ｃは該両面表示装置を表示部に組み込まれた携帯電話を示す斜視図である。
【図２４】図２４Ａ及び図２４Ｂは実施例５の携帯電話使用時における表示部の様子を説明する斜視図及び断面図である。
【図２５】図２５Ａは本発明の実施例５の変形例による両面表示装置の概略断面図、図２５Ｂ及び図２５Ｃは該両面表示装置を表示部に組み込まれた携帯電話を示す斜視図である。
【図２６】図２６Ａ及び図２６Ｂは実施例５の変形例の携帯電話使用時における表示部の様子を説明する斜視図及び断面図である。
【図２７】図２７Ａ及び図２７Ｂは、いずれも携帯電話の一例を示す斜視図である。
【図２８】図２８Ａ及び図２８Ｂは、いずれも異なる携帯電話を示す斜視図である。
【図２９】図２９Ａ及び図２９Ｂは、いずれも電子辞書の一例を示す斜視図である。
【図３０】図３０Ａ及び図３０Ｂは、いずれも異なる電子辞書を示す斜視図である。
【符号の説明】
【００７８】
２１  両面表示装置
２２  リバーシブルライト
２３  半透過型液晶パネル
２４  導光板
２５  光源
２６  光出射面
２７  偏向パターン
２７ａ  傾斜面
２７ｂ  再入射面
２８  光入射面
２９、３０  ガラス基板
３１  液晶層
３２  カラーフィルタ
３３  反射電極
３４  反射領域
３５  透過領域
３６  凸部
３７  凸部
４１  両面表示装置
４２  半透過型液晶パネル
４３  透過型液晶パネル
４４  反射シート
４５  拡散シート
４６、４７  プリズムシート
４８  反射板
５１  拡散層
５２  反射防止膜（ＡＲコート）
５３  反射防止構造
６１  両面表示装置
６２  携帯電話
６３  電子辞書
【図１】
2006259115.tif 000003
【図２】
2006259115.tif 000004
【図３】
2006259115.tif 000005
【図４】
2006259115.tif 000006
【図５】
2006259115.tif 000007
【図６】
2006259115.tif 000008
【図７】
2006259115.tif 000009
【図８】
2006259115.tif 000010
【図９】
2006259115.tif 000011
【図１０】
2006259115.tif 000012
【図１１】
2006259115.tif 000013
【図１２】
2006259115.tif 000014
【図１３】
2006259115.tif 000015
【図１４】
2006259115.tif 000016
【図１５】
2006259115.tif 000017
【図１６】
2006259115.tif 000018
【図１７】
2006259115.tif 000019
【図１８】
2006259115.tif 000020
【図１９】
2006259115.tif 000021
【図２０】
2006259115.tif 000022
【図２１】
2006259115.tif 000023
【図２２】
2006259115.tif 000024
【図２３】
2006259115.tif 000025
【図２４】
2006259115.tif 000026
【図２５】
2006259115.tif 000027
【図２６】
2006259115.tif 000028
【図２７】
2006259115.tif 000029
【図２８】
2006259115.tif 000030
【図２９】
2006259115.tif 000031
【図３０】
2006259115.tif 000032